(57)【特許請求の範囲】
【請求項１】
貫通する窓部を有する前面パネルと、
上記前面パネルより内方に配置され、上記前面パネルと反対方向に向かって凹状に形成される挿入部を有する後面パネルと、
上記前面パネルと上記後面パネルとの間に形成される空間に配置され、上記窓部から露出する露出部と、上記挿入部に挿入される配設部と、上記露出部および上記配設部に接続されると共に上記露出部から直角に上記空間内を実質的に水平に延出する係止部と、上記露出部および上記配設部に接続されると共に上記係止部と逆方向に向かって上記空間内を実質的に水平に延出するヒンジ部と、を備えた露出部材と、
を具備し、
上記後面パネルの上記空間に面する側に、上記前面パネルに向かって突出する突起部を備え、
上記ヒンジ部は、上記突起部を支点に上記前面パネルからの押圧を受けるように、上記突起部よりも延出方向に向かった先端側を上記前面パネルの上記空間に面する側に当接させ、上記露出部材は、上記突起部を支点として上記窓部から上記露出部を露出させる方向に付勢されていることを特徴とする露出部材の固定構造。
【請求項２】
前記窓部の外周部に、前記後面パネル側に向かって突出する外周突出部が形成され、前記係止部および前記ヒンジ部のそれぞれは、上記外周突出部によって係止されていることを特徴とする請求項１記載の露出部材の固定構造。
【請求項３】
前記前面パネルを湾曲させることにより、前記ヒンジ部の前記先端部を前記前面パネルの前記空間に面する側に当接させていることを特徴とする請求項１または２記載の露出部材の固定構造。
【請求項４】
前記前面パネルに、前記後面パネルに向かって突出する押圧突出部を設けることで、前記ヒンジ部の前記先端部を前記前面パネルの前記空間に面する側に当接させていることを特徴とする請求項１または２記載の露出部材の固定構造。
【発明の詳細な説明】
【技術分野】
【０００１】
本発明は、電子機器または電気機器等の筐体から外側に露出するいわゆる露出部材を筐体に対して固定する露出部材の固定構造に関する。
【背景技術】
【０００２】
従来から、電子機器等の操作面に装着される押しボタンを保持する構造としては、パネルに開口部を形成し、当該開口部から突出するように挿入された操作ボタンを弾性体によってパネル側に付勢して保持する構造が知られている。このようなボタンの保持構造を採用した電話機は、特許文献１に開示されている。
【０００３】
特許文献１に開示されている電話機３０は、図６に示すように、ケース体３２に形成された窓３４に受話器が載置される載置部材３６が上下方向に移動可能に嵌合されている。また、載置部材３６は、受話器本体３２の内部に配置されたプリント基板３８に取り付けられた弾性に富む支持部材４０によって支持されている。このような構成により、受話器を載置部材３６に載置すると、その受話器の自重により支持部材４０がその弾性力に抗して撓み、載置部材３６は、適度な位置に下降することができる。
【０００４】
支持部材４０を剛性の高い部材で形成すると共に、プリント基板３８を当該支持部材４０と一体的に成形し、載置部材３６をケース体３２と支持部材４０を有するプリント基板３８とによって狭持すると、載置部材３６は、支持部材４０によってケース体３２の方向に押圧される。このため、載置部材３６は、ケース体３２に対して強固に固定され、その結果、載置部材３６のガタつきを防止できる。
【０００５】
【特許文献１】特開２００３−３１９０４７号公報（図１〜図３）
【発明の開示】
【発明が解決しようとする課題】
【０００６】
しかしながら、上述の構成では、プリント基板３８側に支持部材４０が設けられているため、プリント基板３８と載置部材３６との間に支持部材４０を形成するためのスペースを確保しなければならない。また、支持部材４０によって押圧される部分に過度の圧力がかかるため、支持部材４０およびケース体３２に大きな強度が要求されるといった問題がある。
【０００７】
本発明は、上記の事情にもとづきなされたもので、その目的とするところは、筐体および当該筐体から露出する露出部材を固定するためのスペースを小さくし、かつ露出部材に高い強度を要することなく、露出部材を筐体に対するガタつきが少なく固定できる固定構造を提供しようとするものである。
【課題を解決するための手段】
【０００８】
上記課題を解決するために、本発明は、貫通する窓部を有する前面パネルと、前面パネルより内方に配置され、前面パネルと反対方向に向かって凹状に形成される挿入部を有する後面パネルと、前面パネルと後面パネルとの間に形成される空間に配置され、窓部から露出する露出部と、挿入部に挿入される配設部と、露出部および配設部に接続されると共に露出部から直角に空間内を実質的に水平に延出する係止部と、露出部および配設部に接続されると共に係止部と逆方向に向かって空間内を実質的に水平に延出するヒンジ部と、を備えた露出部材と、を具備し、後面パネルの空間に面する側に、前面パネルに向かって突出する突起部を備え、ヒンジ部は、突起部を支点に前面パネルからの押圧を受けるように、突起部よりも延出方向に向かった先端側を前面パネルの空間に面する側に当接させ、露出部材は、突起部を支点として窓部から露出部を露出させる方向に付勢されているものである。
【０００９】
また、他の発明は、上述の発明に加えて更に、窓部の外周部に、後面パネル側に向かって突出する外周突出部が形成され、係止部およびヒンジ部のそれぞれは、外周突出部によって係止されているものである。
【００１０】
さらに、他の発明は、上述の各発明に加えて更に、前面パネルを湾曲させることにより、ヒンジ部の先端部を前面パネルの空間に面する側に当接させているものである。
【００１１】
また、他の発明は、上述の各発明に加えて更に、前面パネルに、後面パネルに向かって突出する押圧突出部を設けることで、ヒンジ部の先端部を前面パネルの空間に面する側に当接させているものである。
【発明の効果】
【００１２】
本発明によると、筐体および当該筐体から露出する露出部材を固定するためのスペースを小さくし、かつ露出部材に高い強度を要することなく、露出部材を筐体に対するガタつきが少なく固定できる。
【発明を実施するための最良の形態】
【００１３】
以下、本発明の一実施の形態に係る露出部材の固定構造について、図面を参照しながら説明する。なお、以下の説明において、図２〜図５中の矢示Ｘ１が指す方向を「前方」といい、矢示Ｘ２が指す方向を「後方」とうものとし、また、矢示Ｙ１が指す方向を「左側」といい、矢示Ｙ２が指す方向を「右側」というものとする。
【００１４】
図１は、本発明の一実施の形態に係る露出部材の固定構造を採用しているオーディオ機器１０の正面図である。図２は、図１中のオーディオ機器１０をＡ−Ａ線で切断した断面図である。
【００１５】
図１および図２に示すように、本実施の形態では、露出部材となる導光板１２は、前面パネル１６の前方から露出するようにオーディオ機器１０の内部に配置されている。具体的には、導光板１２は、前面パネル１６と後述する後面パネル１８との間に形成された内部空間に配置されている。導光板１２は、発光体となるＬＥＤ（Light Emitting Diode）１４の前方に配置されており、ＬＥＤによって発光された光を外部に導く役割をしている。図１に示すように、後述する導光板１２の露出部１２ａは、前方から見て略三角形の平面形状をしており、その先端は、上述したように、前面パネル１６の前方側に露出している。
【００１６】
図２に示すように、オーディオ機器１０は、上述した導光板１２と、発光体となるＬＥＤ１４と、導光板１２の前方側に配置される前面パネル１６と、前面パネル１６の後方に配置される後面パネル１８と、を有している。
【００１７】
図３は、図２において矢示Ｄで示す部分を拡大した図であり、導光板１２の固定構造の概略を示す図である。
【００１８】
導光板１２は、図３における上方から見た状態では略十字形状をしており、前方に突出する露出部１２ａと、露出部１２ａの後方側に向かって露出部１２ａの延長方向に形成された配設部１２ｂと、露出部１２ａと配設部１２ｂに接続されると共に露出部１２ａおよび配設部１２ｂに対して垂直方向左側に向かって延出する係止部１２ｃと、露出部１２ａと配設部１２ｂに接続されると共に露出部１２ａおよび配設部１２ｂに対して垂直方向右側に向かって延出するヒンジ部１２ｄと、から構成されている。図２に示すように、この実施の形態では、配設部１２ｂの長さは、露出部１２ａより長く、ヒンジ部１２ｄの長さは、係止部１２ｃより長い。
【００１９】
前面パネル１６は、開口部となる窓部１６ａを有しており、導光板１２の前方側に配置されている。窓部１６ａの外周縁からは全周に亘って後方側に向かって爪状に突出する外周突出部１６ｂが形成されている。なお、図３において、外周突出部１６ｂのうち左側に位置する部分を外周突出部１６ｂ１と表記し、右側に位置する部分を外周突出部１６ｂ２と表記する。
【００２０】
図３に示すように、前面パネル１６において外周突出部１６ｂ１から左側に所定の間隔を隔てた位置からは後方に向かって突出する後方突出部１６ｃが形成されている。また、図２および図３に示すように、前面パネル１６において外周突出部１６ｂ２から右側の部分は後方側に向かって湾曲している湾曲部１６ｄとなっている。
【００２１】
図２および図３に示すように、後面パネル１８は、開口部となる挿入部１８ａを有しており、当該挿入部１８ａの外周からは、後方に向かって全周に亘って突出する後方周側部１８ｂが形成されている。なお、図３において、後方周側部１８ｂのうち左側に位置する部分を後方周側部１８ｂ１と表記し、右側に位置する部分を後方周側部１８ｂ２と表記する。後面パネル１８において、後方周側部１８ｂ２から右側に所定の間隔を隔てた位置からは前方に向かって突出する突起部１８ｃが形成されている。
【００２２】
上述したように、導光板１２は、前面パネル１６と後面パネル１８との間に形成される空間に配置されている。具体的には、図３に示すように、露出部１２ａが前面パネル１６の窓部１６ａに挿入され、かつ配設部１２ｂが後面パネル１８の挿入部１８ａに挿入される形で、導光板１２は、前面パネル１６と後面パネル１８とによって狭持されている。導光板１２が狭持された状態では、ヒンジ部１２ｄの前方側の面である前面１２ｆにおける先端部１２ｇは、湾曲部１６ｄの後方側の面である後方側面１６ｆによって後方に向かって押圧されている。また、ヒンジ部１２ｄの後方側の面である後面１２ｈは、先端部１２ｇより左側の位置において突起部１８ｃによって前方に押圧されている。そのため、ヒンジ部１２ｄの先端部１２ｇには、突起部１８ｃを支点とする矢示Ｍ方向のモーメントが発生している。このモーメントによって導光板１２は、ヒンジ部１２ｄの先端部１２ｇを力点とし、かつ、突起部１８ｃを支点として前方に付勢された状態となっている。
【００２３】
また、ヒンジ部１２ｄの前面１２ｆおよび係止部１２ｃの前面１２ｉは、それぞれ外周突出部１６ｂ２および外周突出部１６ｂ１と当接している。すなわち、外周突出部１６ｂ１，１６ｂ２が、露出部１２ａおよび配設部１２ｂの前方に向かう力を受け止めており、導光板１２は外周突出部１６ｂ１，１６ｂ２によって係止されている。したがって、導光板１２が前面パネル１６と後面パネル１８とによって狭持された状態では、ヒンジ部１２ｄに発生したモーメントの力は外周突出部１６ｂ１，１６ｂ２によって受け止められた状態となっている。こうして、導光板１２は、ガタつくことなくオーディオ機器１０の内部に固定されている。また、図３に示すように、導光板１２が前面パネル１６と後面パネル１８とによって狭持された状態では、係止部１２ｃおよびヒンジ部１２ｄと、後面パネル１８との間には、それぞれ隙間Ｄが形成されている。さらに、後方突出部１６ｃの先端は、後面パネル１８に当接している。
【００２４】
以上のように構成された導光板１２の固定構造では、ヒンジ部１２ｄに矢示Ｍ方向のモーメントを発生させ、そのモーメントによって前方に押し出された導光板１２を外周突出部１６ｂによって係止している。すなわち、ヒンジ部１２ｄの先端部１２ｇを力点とし、かつ、突起部１８ｃを支点として導光板１２が前方に付勢された状態で、導光板１２が前面パネル１６と後面パネル１８とによって狭持されている。そのため、導光板１２を、前面パネル１６と後面パネル１８との間に強固に固定することができ、その結果、導光板１２のガタつきを防止することが可能となる。
【００２５】
また、上述の導光板１２の固定構造では、導光板１２は、ヒンジ部１２ｄの先端部１２ｇを力点とし、かつ、突起部１８ｃを支点として前方に付勢された状態となっている。したがって、ヒンジ部１２ｄは、前方および後方からの合計２箇所で押圧されているため、１箇所のみが押圧される場合と比較して、ヒンジ部１２ｄには大きな圧力がかからない。そのため、導光板１２に大きな強度が要求されることを回避できる。
【００２６】
また、上述の導光板１２の固定構造では、導光板１２にヒンジ部１２ｄを設けて、ヒンジ部１２ｄの先端部１２ｇを前方から押圧すると共に、突起部１８ｃによってヒンジ部１２ｄを後方から押圧する構成となっている。したがって、前面パネル１６と後面パネル１８との間には、突起部１８ｃが設けられるのみとなり、前面パネル１６と後面パネル１８との間の空間を小さくできる。そのため、オーディオ機器１０の前後方向の寸法を小さくすることが可能となる。
【００２７】
また、上述の導光板１２の固定構造では、前面パネル１６には、窓部１６ａ以外には、開口部、ネジ穴もしくは突出部等、固定構造を構成する他の手段を設ける必要がない。そのため、前面パネル１６におけるデザイン設計上の自由度が増し、その結果、オーディオ機器１０の美観が損なわれるのを防止できる。
【００２８】
また、上述の導光板１２の固定構造では、導光板を押圧する手段としては、後面パネル側に突起部１８ｃを設けるのみでよく、ヒンジ部１２ｄに突出部等の他の手段を設ける必要がなくなる。そのため、固定構造を単純化することが可能となる。また、弾性部材等他の部品を用いる必要がないため、部品点数の削減が可能となり、コストの削減を図ることも可能となる。
【００２９】
以上、本発明の一実施の形態について説明したが、本発明は上述の形態に限定されることなく、種々変形した形態にて実施可能である。
【００３０】
上述の実施の形態では、図３において、前面パネル１６における右側部分を湾曲した湾曲部１６ｄとすることで、先端部１２ｇを後方に押圧しているが、図４に示すように、前面パネル１６における右側部分を水平となる水平パネル部２０とし、当該水平パネル部２０から後方に突出する押圧突出部２１を設けて、ヒンジ部１２ｄを押圧するようにしても良い。
【００３１】
また、図５に示すように、前面パネル１６における右側部分を湾曲した湾曲部１６ｄとし、ヒンジ部１２ｄの先端に矢示Ｍ方向のモーメントを発生させると共に、前面パネル１６における左側部分に、後方に向かって突出する押圧突出部２１を設け、かつ後面パネル１８における左側部分に突起部１８ｃを設け、係止部１２ｃの長さを伸ばすことにより、係止部１２ｃを押圧し、係止部１２ｃの先端に矢示Ｎ方向のモーメントを発生させるようにしても良い。このようにすることで、導光板１２の左右両側から導光板１２を押圧することが可能となり、導光板１２のガタつきを確実に防止することができる。また、前面パネル１６における左右両側に湾曲部１６ｄを設けて、導光板１２の左右両側を押圧するようにしても良い。また、前面パネル１６における左右両側に押圧突出部２１を設けて、導光板１２の左右両側を押圧するようにしても良い。
【００３２】
また、上述の実施の形態では、窓部１６ａの平面形状および露出部１２ａの前方から見た平面形状は略三角形をしているが、これに限ることなく、それぞれの平面形状を円形や四角形等の他の形状としても良い。
【００３３】
また、上述の実施の形態では、外周突出部１６ｂは、窓部１６ａの外周部から全周に亘って形成されているが、これに限ることなく、窓部１６ａの外周部から突出する複数の領域に分割された突出部としても良い。
【００３４】
また、上述の実施の形態では、後面パネル１８に形成された突起部１８ｃは、１つのみであるが、これに限定されることなく、図３における紙面方向奥側または紙面方向手前側に向かって複数の突起部１８ｃを並ぶように形成しても良い。
【００３５】
また、上述の実施の形態では、配設部１２ｂは、左右方向において露出部１２ａを延長するように後方に向かって形成されているが、露出部１２ａに対して左右方向にずれた位置からから後方に向かって形成するようにしても良い。また、係止部１２ｃとヒンジ部１２ｄについても、一直線上に形成せずに、それぞれ前後方向にずれるように形成しても良い。
【００３６】
また、上述の実施の形態では、オーディオ機器１０の導光板１２に本発明の実施の形態に係る固定構造を採用しているが、これに限定されず、つまみやボタン等の筐体から露出する他の部材に採用しても良い。
【産業上の利用可能性】
【００３７】
本発明の露出部材の固定構造は、筐体の内部から露出している各種部材を有する電子機器や電気機器一般において利用することができる。
【図面の簡単な説明】
【００３８】
【図１】本発明の一実施の形態に係る露出部材の固定構造が採用されているオーディオ機器の正面図である。
【図２】図１中のオーディオ機器をＡ−Ａ線で切断した断面図である。
【図３】図２において矢示Ｄで示す部分を拡大した図であり、本発明の一実施の形態に係る露出部材の固定構造の概略を示す図である。
【図４】本発明の変形例を示す図であり、前面パネル１６の右側部分に押圧突出部を設けた場合の露出部材の固定構造の概略を示す図である。
【図５】本発明の変形例を示す図であり、前面パネルの右側部分を湾曲した湾曲部を設け、前面パネルの左側部分に、押圧突出部を設けた場合の露出部材の固定構造の概略を示す図である。
【図６】従来の電話機における載置部材の固定構造の構成を示す部分断面図である。
【符号の説明】
【００３９】
１２…導光板（露出部材）
１２ａ…露出部
１２ｂ…配設部
１２ｃ…係止部
１２ｄ…ヒンジ部
１６…前面パネル
１６ａ…窓部
１６ｂ…外周突出部
１８…後面パネル
１８ａ…挿入部
１８ｃ…突起部
【図１】
0004696869.tif 000002
【図２】
0004696869.tif 000003
【図３】
0004696869.tif 000004
【図４】
0004696869.tif 000005
【図５】
0004696869.tif 000006
【図６】
0004696869.tif 000007